(57)【要約】【課題】容易にかつ確実に、蓋に対する内蓋の取り付け取り外しができる調理器を提供することを目的とする。【解決手段】内蓋４を装着する蓋３は、内蓋固定手段１２と係止手段１５とを設けて内蓋４を着脱自在に装着するとともに内蓋４の係止外し時に蓋３に対して内蓋４を所定角度Ａ傾斜した状態で係止するようにし、内蓋４は、蓋３への装着時に折り畳まれ所定角度Ａ傾斜した状態時に内蓋４の外側に可動突出する把手１６を設け、把手１６と内蓋４および係止手段１５は、それぞれの左右中央に対して直線上に配置したものである。これによって、内蓋４は所定角度Ａ傾斜した状態で係止される際に突出する把手１６を掴んで内蓋４を操作でき、さらに、係止手段１５に対して最適な方向から取り付けが可能となり、内蓋４の取り付け不良による問題発生をなくし調理性能を向上させることができる。【選択図】図１
2008067898.tif 000002
【特許請求の範囲】
【請求項１】
機器本体と、機器本体内の鍋と、鍋を加熱する加熱手段と、端部が機器本体に軸支され鍋の開口部を開閉自在に覆う蓋と、蓋の内側に着脱自在に装着される内蓋とを備え、前記蓋は、内蓋端部と係脱する内蓋固定手段と蓋の軸支部側の内蓋他端部を係止する係止手段とを設けて内蓋を蓋に着脱自在に装着するとともに内蓋固定手段による内蓋の係止外し時に蓋開放時の蓋に対して内蓋を係止手段により所定角度傾斜した状態で係止するようにし、前記内蓋は、蓋への装着時に折り畳まれ係止手段により所定角度傾斜した状態での係止時に内蓋の外周より外側に可動突出する把手を設け、把手と内蓋および係止手段は、それぞれの左右中央に対して直線上に配置した調理器。
【請求項２】
折り畳み式の把手は、蓋に内蓋を装着した際に、水平面に対して、０度より大きい角度になるように折り畳まれ、蓋側の対面壁に弾力をもって当接している請求項１に記載の調理器。
【請求項３】
折り畳み式の把手は、内蓋を蓋の内側に装着される動作に連動して折り畳まれ、把手が内蓋の外周より内側に収納される請求項２に記載の調理器。
【請求項４】
折り畳み式の把手は、指を回し込むことができる指掛け部を設けた請求項１〜３のいずれか１項に記載の調理器。
【請求項５】
折り畳み式の把手は、多孔質の素材で成型した請求項１〜４のいずれか１項に記載の調理器。
【請求項６】
折り畳み式の把手は、把手の表面に複数の突起を有した請求項１〜５のいずれか１項に記載の調理器。
【発明の詳細な説明】
【技術分野】
【０００１】
本発明は、内蓋を有する炊飯器などの調理器に関するものである。
【背景技術】
【０００２】
従来、炊飯器において、使用者が片手で蓋から内蓋を取り外すことのできるようにしたものが提案されている（例えば、特許文献１参照）。
【０００３】
これは、蓋から内蓋の固定を解除すると、内蓋は端部を中心として自重により鍋側へ回転移動し、所定角度で自立し係止されるものである。これにより、内蓋は蓋から解除された途端に鍋上や床に落下することはないため、片手で自立状態の内蓋を取り外すことができ、内蓋の取り外し操作が容易に行うことができるものである。
【特許文献１】特開２００２−９５５８０号公報
【発明の開示】
【発明が解決しようとする課題】
【０００４】
しかしながら、前記従来の構成では、蓋に対して所定角度で自立した内蓋を脱着する際に、内蓋を掴む部分は、特に手で掴むことを想定した構成でなく、鍋との気密性を保つことに主眼を置いた形状であり、また使用者に対して内蓋の掴む位置を指定しないため、掴んだ位置によっては、内蓋が係止部に引っ掛かり、取り付け取り外しが容易にいかないなど、内蓋が正しくセットされず蒸気もれなどが生じるものである。また、内蓋は、蓋と内蓋との間に熱源を配置する場合もあり、耐熱性の観点から、金属素材で構成されているが、炊飯直後や、保温終了後の内蓋を取り外す際、内蓋を掴む場所が分かりにくいため、場合によっては、金属部に指が触れて、不快な思いをすることがある。
【０００５】
本発明は、前記従来の課題を解決するもので、容易にかつ確実に、蓋に対する内蓋の取り付け取り外しができる調理器を提供することを目的とする。
【課題を解決するための手段】
【０００６】
前記従来の課題を解決するために、本発明の調理器は、機器本体と、機器本体内の鍋と、鍋を加熱する加熱手段と、端部が機器本体に軸支され鍋の開口部を開閉自在に覆う蓋と、蓋の内側に着脱自在に装着される内蓋とを備え、前記蓋は、内蓋端部と係脱する内蓋固定手段と蓋の軸支部側の内蓋他端部を係止する係止手段とを設けて内蓋を蓋に着脱自在に装着するとともに内蓋固定手段による内蓋の係止外し時に蓋開放時の蓋に対して内蓋を係止手段により所定角度傾斜した状態で係止するようにし、前記内蓋は、蓋への装着時に折り畳まれ係止手段により所定角度傾斜した状態での係止時に内蓋の外周より外側に可動突出する把手を設け、把手と内蓋および係止手段は、それぞれの左右中央に対して直線上に配置したものである。
【０００７】
これによって、内蓋固定手段による内蓋の係止外し時に、内蓋は係止手段により所定角度傾斜した状態で係止されるが、この際、内蓋の外周より外側に把手が可動突出するため、使用者は把手の出現を容易に認識することができ、把手を掴んで内蓋を取り外す動作に使用者を誘導することができ、さらに、把手は内蓋および係止手段とそれぞれの左右中央に対して直線上に配置されているため、把手を掴んで内蓋の取り付け動作を行うことで、係止手段に対して最適な方向から取り付けが可能となり、内蓋の取り付け不良による問題発生をなくし調理性能を向上させることができる。
【発明の効果】
【０００８】
本発明の調理器は、容易にかつ確実に、蓋に対する内蓋の取り付け取り外しができる。
【発明を実施するための最良の形態】
【０００９】
第１の発明は、機器本体と、機器本体内の鍋と、鍋を加熱する加熱手段と、端部が機器本体に軸支され鍋の開口部を開閉自在に覆う蓋と、蓋の内側に着脱自在に装着される内蓋とを備え、前記蓋は、内蓋端部と係脱する内蓋固定手段と蓋の軸支部側の内蓋他端部を係止する係止手段とを設けて内蓋を蓋に着脱自在に装着するとともに内蓋固定手段による内蓋の係止外し時に蓋開放時の蓋に対して内蓋を係止手段により所定角度傾斜した状態で係止するようにし、前記内蓋は、蓋への装着時に折り畳まれ係止手段により所定角度傾斜した状態での係止時に内蓋の外周より外側に可動突出する把手を設け、把手と内蓋および係止手段は、それぞれの左右中央に対して直線上に配置した調理器とすることにより、内蓋固定手段による内蓋の係止外し時に、内蓋は係止手段により所定角度傾斜した状態で係止されるが、この際、内蓋の外周より外側に把手が可動突出するため、使用者は把手の出現を容易に認識することができ、把手を掴んで内蓋を取り外す動作に使用者を誘導することができ、さらに、把手は内蓋および係止手段とそれぞれの左右中央に対して直線上に配置されているため、把手を掴んで内蓋の取り付け動作を行うことで、係止手段に対して最適な方向から取り付けが可能となり、内蓋の取り付け不良による問題発生をなくし調理性能を向上させることができる。
【００１０】
第２の発明は、特に、第１の発明において、折り畳み式の把手は、蓋に内蓋を装着した際に、水平面に対して、０度より大きい角度になるように折り畳まれ、蓋側の対面壁に弾力をもって当接していることにより、内蓋固定手段による内蓋の係止外し時に把手の弾力が内蓋を蓋から離す方向に作用し、内蓋の重心を考慮せずとも、内蓋を確実に所定角度まで傾斜させることができ、さらに把手の展開も同時に行うことができる。
【００１１】
第３の発明は、特に、第２の発明において、折り畳み式の把手は、内蓋を蓋の内側に装着される動作に連動して折り畳まれ、把手が内蓋の外周より内側に収納されることにより、内蓋を蓋側に装着する前に、把手を折り畳む動作を行う必要がなく、最低限の動作で内蓋の蓋への取り付け固定を行うことができる。
【００１２】
第４の発明は、特に、第１〜第３のいずれか１つの発明において、折り畳み式の把手は、指を回し込むことができる指掛け部を設けたことにより、内蓋を手で持つ際の保持性が向上し、内蓋の操作をより確実に行うことができる。
【００１３】
第５の発明は、特に、第１〜第４のいずれか１つの発明において、折り畳み式の把手は、多孔質の素材で成型したことにより、把手の材質が多孔質であるため、熱容量が小さく、調理直後や、保温終了後、すぐに内蓋を外す場合でも、素手で容易に触ることができ安全に後片付け作業ができる。
【００１４】
第６の発明は、特に、第１〜第５のいずれか１つの発明において、折り畳み式の把手は、把手の表面に複数の突起を有したことにより、温度が高い状態で内蓋を蓋から取り外す場合でも、複数の突起を把手表面に設けているため、室内の空気との接触率が増えて、放熱性が高まり、短時間で把手の温度が低下するとともに、把手を手で触れる際には、突起に触れるため点接触となり、熱が伝わりにくい効果もあり、調理直後、保温終了後、すぐに内蓋を外す場合でも、より温度を気にすることなく内蓋を触ることができ、より安全に後片付け作業ができる。
【００１５】
以下、本発明の実施の形態について、図面を参照しながら説明する。なお、この実施の形態によって本発明が限定されるものではない。
【００１６】
（実施の形態）
図は、本発明の実施の形態における調理器として炊飯器を例示したものである。以下炊飯器を例にとって説明する。
【００１７】
図１、図２において、炊飯器は、機器本体１と、その内部に着脱自在に装備した有底略円筒形の鍋２と、端部が機器本体１に軸支２１され鍋２の開口部を開閉自在に覆う蓋３と、蓋３に着脱自在に装着される略円形状の内蓋４とを備えている。
【００１８】
また、機器本体１内には、鍋２を誘導加熱するためのコイルからなる加熱手段５と、鍋２の温度を測定するための温度センサーからなる温度検知手段６と、制御手段７とが設置されている。
【００１９】
また、蓋３には鍋２内の余分な蒸気を機器本体１外へと排出するための蒸気筒８と、内蓋４の温度を検知する温度センサーからなる蓋温度検知手段９と、内蓋４を誘導加熱するコイルからなる内蓋加熱手段１０とが設置されている。さらに蓋３は、内蓋４端部と係脱する内蓋固定手段１２と、蓋３を機器本体１に固定するフック１３と、蓋３の軸支２１部側の内蓋４他端部を係止する係止手段１５とを設けており、内蓋４を蓋３に着脱自在に装着するとともに蓋３を機器本体１に固定できるようになっている。そしてまた、内蓋固定手段１２による内蓋４の係止外し時に蓋開放時の蓋３（機器本体１に対して略９０度に開放）に対して内蓋４を係止手段１５により所定角度Ａ（例えば４５度）傾斜した状態で係止するようにしている。
【００２０】
内蓋固定手段１２は、バネ１２ａによって付勢されたフック１２ｂからなり、このフック１２ｂは、ヒンジ１２ｃを介して、解除手段１４が操作されることによりスイングし、内蓋４の前端部付近にある内蓋固定部４ａの固定や解除が可能となる。
【００２１】
また、内蓋４は、蓋３を閉じた状態で鍋２と密接する弾性体からなる略環状の内蓋パッキン１１をその外周に備えており、内蓋４の少なくとも一部は誘導加熱が可能なステンレスなどの金属からなっている。さらに、内蓋４は、蓋３への装着時に折り畳まれ係止手段１５により所定角度Ａ傾斜した状態での係止時に内蓋４の外周より外側に可動突出する把手１６を設けている。なお、把手１６と内蓋４および係止手段１５は、それぞれの左右中央に対して直線上に配置されている。
【００２２】
次に、図３により、蓋３の係止手段１５と、蓋３の軸支２１部側の内蓋４他端部との関連構成について説明する。
【００２３】
係止手段１５は、蓋３を後方へ凹ませた略溝形状の凹部１５ｃと、凹部１５ｃの鍋２側開口部である凹部鍋側前端部１５ａと、凹部１５ｃの蓋３側開口部に設けた溝状の蓋係止部１５ｂとを有している。蓋３が開放状態にある場合、内蓋４の内蓋他端部４ｂが図１の矢印Ｙの方向から凹部１５ｃに挿入され、使用者による支持がなくなると、内蓋４は自重により鍋２側すなわち矢印Ｘの方向へ倒れ、内蓋他端部４ｂの鍋側端部４ｃが凹部鍋側前端部１５ａと当接し、フック形状の蓋側端部４ｄが蓋係止部１５ｂと係止し合うと、内蓋４はそれ以上倒れなくなり、傾斜した状態で自立することとなる。
【００２４】
図４は、内蓋４の前端部付近に設けた折り畳み式の把手１６部の構成を示している。
【００２５】
把手１６は、内蓋４に設けた台座１７上にヒンジ１８を介して設置されており、把手１６の突起軸１６ａが、ヒンジ１８の軸受け１８ａにはめ込まれ、突起軸１６ａを軸に回動する。さらに把手１６と台座１７の間には、く字状のバネ１９がはめ込まれており、把手１６の回動範囲を制限している。図４（ａ）のように、バネ１９が伸びた状態時に、把手１６が展開した状態になり、内蓋４の外周より外側に突出し、内蓋４を蓋３に対して所定角度Ａで傾斜させて係止した場合に、手で掴める状態となる。また、図４（ｂ）のように、バネ１９が圧縮された状態時には、把手１６は水平面に対して、０度より大きい角度Ｂ（例えば３０度）になるように折り畳まれる。これは、図１に示すように、内蓋４を蓋３側に移動させ、蓋３側の収納部２０に把手１６を位置させることにより、対面壁２０ａの傾斜面による案内作用により自動的に折り畳まれ、弾力をもって対面壁２０ａに当接し、図２に示すように収納される。なお、収納部２０の対面壁２０ａは、水平面に対して所定角度Ｂより若干広い角度で設けられている。
【００２６】
把手１６が折り畳まれた図２に示す状態においては、把手１６はバネ１９の弾性により内蓋４方向に向けた反発力を蓄えている。このため解除手段１４を操作して内蓋固定手段１２を解除した際に、把手１６が展開する動きを開始することで、自動的に内蓋４を蓋３から引き離す方向に力が働き、最終的には、内蓋４は係止手段１５により所定角度Ａで係止されることとなる。ここで、把手１６の折り畳み時の所定角度Ｂが、水平面と平行の場合は、把手１６のバネ１９の反発力は、内蓋４と蓋３を引き離す方向に掛からないため、自動的に内蓋４を係止位置まで回動することができない。
【００２７】
なお、折り畳み式の把手１６には指を回し込むことができる指掛け部１６ｂを設けているものであり、指掛け部１６ｂに指を引掛けて内蓋４を扱えるものであれば、その形状、構成については特に限定されるものではない。図５に示すものではパイプ材で構成している場合を示しているが、板材を用いてもよいものである。
【００２８】
また、把手１６の材質に関しては、金属、樹脂、セラミックなどを用いることができるが、樹脂を用いると熱容量が小さいため、温度が高い状態において素手で触れても火傷しにくく、さらに多孔質の発泡樹脂を用いると、より温度の影響を低減することができる。また、図６に示すように樹脂材料で成形した把手１６表面に複数の突起１６ｃを設けるディンプル加工を施しても、手の接触が点接触になることで伝熱を低減することができるだけでなく、手で持ったときの滑り止めにもなるため、持ったときの保持性が向上する。
【００２９】
また、把手１６の内蓋他端部４ｂは、内蓋４の左右中心軸上に配置されていると、内蓋４を蓋３に脱着する際に、係止手段１５に対する引っかかりが起きにくく、スムーズに脱着が可能となる。
【００３０】
以上のように構成された炊飯器について、以下その動作、作用について説明する。
【００３１】
まず、鍋２内に所定の米と水をセットし、炊飯開始ボタン（図示せず）を押下することで、炊飯工程が開始される。炊飯工程は、水を一定温度に保って米に水を吸収させる浸せき工程、鍋２を加熱手段５により一気に加熱し、鍋２内の水を沸騰状態にする炊き上げ工程、鍋２内の水がほとんどなくなった状態で加熱を抑える蒸らし工程からなり、これらの工程の間に米の糊化を進めて炊飯する。制御手段７は温度検知手段６により鍋２の温度に応じて最適に加熱手段５を制御し、あらかじめ決められた炊飯シーケンスに従って炊飯を行う。炊飯シーケンスは米の種類などによって複数のコースが準備されている。この蒸らし工程が終了すると炊飯が終了し、自動的に保温工程へと移行し、炊き上がったご飯の温度が低下しないようにして、使用者がいつでも温かいご飯を得られる。
【００３２】
炊飯開始ボタン（図示せず）を押下して炊飯が開始されると、まず米に水を吸収させる浸せき工程が始まる。制御手段７は、加熱手段５により鍋２を加熱し、鍋２内の水の温度を温度検知手段６によって検知し、米の糊化が始まらない温度（約６０℃未満）に調整して米の吸水を促進する。
【００３３】
炊き上げ工程では、米に水と熱を加えて糊化を進行させる。制御手段７は、加熱手段５を動作させて鍋２を急速に加熱し、鍋２内の水を沸騰状態とする。このとき連続的に沸騰が生じて蒸気が大量に発生するが、内蓋４が内蓋装着位置に固定されていると内蓋パッキン１１が鍋２と密接するため、蒸気は蒸気筒８を通り機器本体１外へと放出される。しかし、内蓋４の位置にずれが生じていると、内蓋パッキン１１と鍋２との接し方にばらつきが生じ、密接度合の強い部分と弱い部分が生じてしまう。このような場合、蒸気筒８の開口面積が十分大きくないと、内蓋パッキン１１と鍋２との密接度合の弱い部分から蒸気が漏れだす恐れがある。
【００３４】
蒸らし工程では、米に付着した余分な水分を蒸散させながら、鍋２内を高温状態（約１００℃の状態）に維持して糊化をさらに進展させる。制御手段７は、温度検知手段６の温度を確認して、鍋２内を高温状態に維持するために鍋２の温度が一定温度以下に下がると、加熱手段５を動作させて鍋２を加熱する。
【００３５】
炊飯後に内蓋４のお手入れをする際は、使用者は蓋３を開放状態にし、内蓋固定手段１２による内蓋４の固定を解除すると、内蓋前端部付近に設置されている把手１６がバネ１９の付勢により展開する動きに連動して、内蓋４は矢印Ｘの方向へ軸支２１部を中心に回転移動し、所定角度Ａまで傾斜すると自立する（図１の状態）。同時に把手１６も折り畳み状態からの展開を完了し、内蓋４の外周より突出した状態になる。使用者は、内蓋４の回転移動する際に、把手１６が展開する動きも確認し、内蓋４の外周より突出する形状の変化を容易に認識することができる。そのため、係止状態となった内蓋４を取り外す際に、使用者に対して、自然と把手１６を持たせることができ、蓋側端部４ｄと蓋係止部１５ｂの係止を外し図３の矢印Ｙの方向に引くと、内蓋４を蓋３から取り外すことができる。
【００３６】
次に、使用者がお手入れした後あるいは炊飯する前などに、内蓋４を蓋３に取り付ける際には、内蓋４を図３の矢印Ｙと逆方向から係止手段１５に差し込み手を放すと、内蓋４は自重で軸支２１部を中心に少し回転し、蓋側端部４ｄと蓋係止部１５ｂが係止すると自立する。その状態で内蓋４を蓋３の内蓋装着位置に向けて、係止手段１５を支点に回転移動させると、把手１６は、収納部２０内の対面壁２０ａに接しながら挿入されることで、連続的に折り畳まれながら、収納部２０内に格納され、内蓋固定部４ａが内蓋固定手段１２のフック１２ｂに保持されることで固定保持される（図２の状態）。
【００３７】
内蓋４の蓋３に対する装着位置は、係止手段１５、把手１６により位置規制され、前後左右方向にほとんどずれることなく、蓋３に装着されるので、内蓋パッキン１１は完全に鍋２と密接することができ、炊飯中に蒸気が漏れ出すこともない。
【００３８】
以上のように、本実施の形態においては、内蓋固定手段１２を開放すると、内蓋４は、係止手段１５への取り付け部を支点に回転移動して蓋３から外れるが、この際、係止手段１５および内蓋４の係止手段１５への取り付け部との延長線上にあたる内蓋前端部付近に折り畳まれていた把手１６がバネ９の付勢を受けて突出するため、使用者は把手１６の出現を容易に認識することができ、把手１６を掴んで内蓋４を取り外す動作に使用者を誘導することができる。また、内蓋装着位置に装着する際も、別途把手１６を折り畳む必要がなく、装着動作の流れの中で把手１６の折り畳み格納も完了させることができる。
【００３９】
さらに、把手１６と内蓋４および係止手段１５は、それぞれの左右中央に対して直線上に配置したため、把手１６を掴んで内蓋４の取り付け動作を行うことで、係止手段１５に対して最適な方向から取り付けが可能となり、内蓋４の取り付け不良により、炊飯中に蒸気が鍋２から漏れ出すことを低減して炊飯性能を向上させることができる。
【００４０】
なお、本実施の形態では、把手１６の折り畳み方向が、内蓋４の方向であるが、蓋３方向でもよく、また、把手１６自体がエラストマーなどの軟質材で、収納部２０に把手１６を変形させながら収納するような方式でもよい。
【００４１】
なお、蓋３が開放状態であるときの機器本体１と蓋３との角度は、本実施の形態で説明した略９０度の角度に限定されず、自立している内蓋４を取り出すことができる角度であればよい。
【００４２】
なお、所定角度Ａは大きすぎると内蓋４が固定状態から係止状態に至る回転移動の際に係止手段１５と蓋側端部４ｄとが衝突する衝撃が大きくなりすぎ、また所定角度Ａは小さすぎると係止状態の内蓋４の取り外しとセット時の操作性が悪化するので、両者の関係から最適な角度（例えば３０度）とするとなおよい。
【００４３】
なお、係止手段１５は略溝形状でなくとも、内蓋４を所定角度Ａに保持できればよく、例えば内蓋４に溝形状があるとともに係止手段１５が突起形状であってもよいし、係止手段１５が穴形状やフック形状など他の形状でもよい。なお、係止手段１５は蓋３と別の部品で構成してもよい。
【００４４】
なおまた、本実施の形態では炊飯器を例にとって説明したが、蓋と内蓋を有する他の機器にも適用できるものである。
【産業上の利用可能性】
【００４５】
以上のように、本発明にかかる調理器は、容易にかつ確実に、蓋に対する内蓋の取り付け取り外しができるので、炊飯器はもちろんのこと蓋と内蓋を有する加熱調理器など他の機器の用途にも適用できる。
【図面の簡単な説明】
【００４６】
【図１】本発明の実施の形態における調理器の内蓋非装着状態を示す断面図
【図２】同調理器の内蓋装着状態を示す断面図
【図３】同調理器の内蓋の係止手段周辺を示す断面図
【図４】（ａ）同調理器の内蓋に設けた把手の展開時の断面図（ｂ）同把手の折り畳み時の断面図
【図５】同調理器の把手の正面図
【図６】同調理器の把手の他構成例を示す正面図
【符号の説明】
【００４７】
１  機器本体
２  鍋
３  蓋
４  内蓋
５  加熱手段
１２  内蓋固定手段
１５  係止手段
１６  把手
１６ａ  突起軸
１６ｂ  指掛け部
１６ｃ  突起
１９  バネ
２０  収納部
２０ａ  対面壁
【図１】
2008067898.tif 000003
【図２】
2008067898.tif 000004
【図３】
2008067898.tif 000005
【図４】
2008067898.tif 000006
【図５】
2008067898.tif 000007
【図６】
2008067898.tif 000008